(57)【特許請求の範囲】
【請求項１】
所定の移動手段を介して移動する第１アクセスポイント及び当該第１アクセスポイントと無線接続された少なくとも一の通信装置、並びに前記第１アクセスポイントとは異なる第２アクセスポイントを備えるデータ配信システムであって、
前記第１アクセスポイントは、
自身の移動した場所又は通信の履歴を取得する取得部と、
自身とは異なる第２アクセスポイントの無線エリアに移動すると、当該第２アクセスポイントに対して前記履歴を送信する送信部と、
を備え、
前記第２アクセスポイントは、
前記第１アクセスポイントから前記履歴を受信すると、当該履歴に基づいて自身が配信する配信情報を抽出する抽出部と、
抽出した前記配信情報を、前記通信装置に対して配信する配信部と、
を備えるデータ配信システム。
【請求項２】
前記第１アクセスポイントの前記送信部は、
前記履歴に関連付けて、前記所定の移動手段の種別を示す第１識別情報を前記第２アクセスポイントに対して送信し、
前記第２アクセスポイントの前記抽出部は、
前記履歴に加え、前記第１アクセスポイントから受信した前記第１識別情報に基づいて自身が配信する配信情報を抽出する、
請求項１に記載のデータ配信システム。
【請求項３】
前記第２アクセスポイントの前記配信部は、前記配信情報を、前記通信装置に無線接続された前記第１アクセスポイントを介して、前記通信装置に対して配信する、
請求項１又は２に記載のデータ配信システム。
【請求項４】
前記第１アクセスポイントの前記送信部は、
前記履歴に関連付けて、自身に無線接続された前記通信装置の種別を示す第２識別情報を前記第２アクセスポイントに対して送信し、
前記第２アクセスポイントの前記配信部は、
前記第１アクセスポイントから受信した前記第２識別情報に対応する前記通信装置からの接続要求を受けると、当該第２識別情報に関連する前記履歴に基づき抽出した配信情報を、当該通信装置に対して配信する、
請求項１又は２に記載のデータ配信システム。
【請求項５】
前記第１アクセスポイントの前記取得部は、
自身の移動の停止及び自身の移動の開始を検知する検知部と、
前記検知部が前記停止を検知すると、当該停止した場所を前記履歴として取得する履歴取得部と、
を備える請求項１から４の何れか１項に記載のデータ配信システム。
【請求項６】
前記第１アクセスポイントの前記履歴取得部は、
前記停止した場所において検知した外部アクセスポイントの種別に基づいて自身が移動した場所を特定することで、前記履歴を取得する、
請求項５に記載のデータ配信システム。
【請求項７】
前記第１アクセスポイントの前記履歴取得部は、
前記停止した場所において取得したＧＰＳ情報に基づいて自身が移動した場所を特定することで、前記履歴を取得する、
請求項５又は６に記載のデータ配信システム。
【請求項８】
前記第１アクセスポイントの前記履歴取得部は、
自身の移動が停止した場所のうち、前記検知部が前記停止を検知してから前記開始を検知するまでの経過時間が閾値を超える場所を、前記履歴として取得する、
請求項５から７の何れか１項に記載のデータ配信システム。
【請求項９】
所定の移動手段を介して移動するアクセスポイントであって、
自身と無線接続された通信装置を記憶する記憶部と、
自身の移動した場所又は通信の履歴を取得する取得部と、
自身とは異なる別アクセスポイントの無線エリアに移動すると、前記記憶部が記憶する通信装置、前記取得部が取得した前記履歴、及び前記所定の移動手段の種別を示す識別情報を夫々関連付けて、前記別アクセスポイントに対して送信する送信部と、
を備えるアクセスポイント。
【請求項１０】
前記送信部が送信した前記履歴に基づき前記別アクセスポイントが抽出した配信情報を、前記記憶部が記憶する通信装置に対して配信する配信部、
を更に備える請求項９に記載のアクセスポイント。
【発明の詳細な説明】
【技術分野】
【０００１】
本発明は、ユーザが所有する通信装置に対して配信情報をプッシュ配信するデータ配信システム及びアクセスポイントに関する。
【背景技術】
【０００２】
通信事業者による無線環境の整備が進められており、スマートフォンやタブレットＰＣ等の通信装置の所有者が外出先でインターネット環境を利用可能になるように、通信事業者は、各地に公衆無線ＬＡＮを設置している。従来、公衆無線ＬＡＮは、携帯電話網等の広域通信網のトラヒックをオフロードすることを想定していたものの、近年では、例えば観光地等の各地に設置した公衆無線ＬＡＮのアクセスポイントから、ユーザが所有する通信装置に対して観光情報をプッシュ配信するといった利用方法も注目されている。
【０００３】
通信装置と接続されたアクセスポイントやサーバから配信情報をプッシュ配信する試みは、これまでいくつかなされている。例えば、特許文献１には、常時接続を維持するために通信装置側の電力消費量が増大してしまうという課題に着目し、配信情報をプッシュ型で受け取るとともに、電力消費量を削減可能な通信装置を実現するための工夫が開示されている。
【先行技術文献】
【特許文献】
【０００４】
【特許文献１】特開２０１４−５６３９９号公報
【発明の概要】
【発明が解決しようとする課題】
【０００５】
ところで、従来のプッシュ型の配信では、日時や位置に応じた情報を配信する形態が多く、特許文献１においても、サーバ装置は、通信装置に対して位置に応じた情報を配信することとしている。この点、各地に設置された公衆無線ＬＡＮに接続した通信装置のユーザに、日時や位置に応じた情報を提供すると、既に他の場所で同一の情報を入手しているユーザに対しても情報を配信してしまう場合がある。また、目的地に着くまでの移動手段によって欲しい情報は異なると考えられるが、日時と場所が同じときに同じ情報を配信すると、様々なユーザのニーズに応じた情報を配信することができない。そこで、ユーザが当該位置に到着するまでの移動経路や当該位置までの移動手段に応じて、ユーザに応じた好ましい情報を配信する仕組みが求められている。
【０００６】
本発明は、このような要望に鑑みてなされたものであり、ユーザに応じた好ましい情報を配信するデータ配信システム及びアクセスポイントを提供することを目的とする。
【課題を解決するための手段】
【０００７】
本発明の第１の態様においては、所定の移動手段を介して移動する第１アクセスポイント及び当該第１アクセスポイントと無線接続された少なくとも一の通信装置、並びに前記第１アクセスポイントとは異なる第２アクセスポイントを備えるデータ配信システムであって、前記第１アクセスポイントは、自身の移動した場所又は通信の履歴を取得する取得部と、自身とは異なる第２アクセスポイントの無線エリアに移動すると、当該第２アクセスポイントに対して前記履歴を送信する送信部と、を備え、前記第２アクセスポイントは、前記第１アクセスポイントから前記履歴を受信すると、当該履歴に基づいて自身が配信する配信情報を抽出する抽出部と、抽出した前記配信情報を、前記通信装置に対して配信する配信部と、を備えるデータ配信システムを提供する。
【０００８】
また、前記第１アクセスポイントの前記送信部は、前記履歴に関連付けて、前記所定の移動手段の種別を示す第１識別情報を前記第２アクセスポイントに対して送信し、前記第２アクセスポイントの前記抽出部は、前記履歴に加え、前記第１アクセスポイントから受信した前記第１識別情報に基づいて自身が配信する配信情報を抽出することとしてもよい。
【０００９】
また、前記第２アクセスポイントの前記配信部は、前記配信情報を、前記通信装置に無線接続された前記第１アクセスポイントを介して、前記通信装置に対して配信することとしてもよい。
【００１０】
また、前記第１アクセスポイントの前記送信部は、前記履歴に関連付けて、自身に無線接続された前記通信装置の種別を示す第２識別情報を前記第２アクセスポイントに対して送信し、前記第２アクセスポイントの前記配信部は、前記第１アクセスポイントから受信した前記第２識別情報に対応する前記通信装置からの接続要求を受けると、当該第２識別情報に関連する前記履歴に基づき抽出した配信情報を、当該通信装置に対して配信することとしてもよい。
【００１１】
また、前記第１アクセスポイントの前記取得部は、自身の移動の停止及び自身の移動の開始を検知する検知部と、前記検知部が前記停止を検知すると、当該停止した場所を前記履歴として取得する履歴取得部とを備えることとしてもよい。
【００１２】
また、前記第１アクセスポイントの前記履歴取得部は、前記停止した場所において検知した外部アクセスポイントの種別に基づいて自身が移動した場所を特定することで、前記履歴を取得することとしてもよい。
【００１３】
また、前記第１アクセスポイントの前記履歴取得部は、前記停止した場所において取得したＧＰＳ情報に基づいて自身が移動した場所を特定することで、前記履歴を取得することとしてもよい。
【００１４】
また、前記第１アクセスポイントの前記履歴取得部は、自身の移動が停止した場所のうち、前記検知部が前記停止を検知してから前記開始を検知するまでの経過時間が閾値を超える場所を、前記履歴として取得することとしてもよい。
【００１５】
本発明の第２の態様においては、所定の移動手段を介して移動するアクセスポイントであって、自身と無線接続された通信装置を記憶する記憶部と、自身の移動した場所又は通信の履歴を取得する取得部と、自身とは異なる別アクセスポイントの無線エリアに移動すると、前記記憶部が記憶する通信装置、前記取得部が取得した前記履歴、及び前記所定の移動手段の種別を示す識別情報を夫々関連付けて、前記別アクセスポイントに対して送信する送信部と、を備えるアクセスポイントを提供する。
【００１６】
このアクセスポイントは、前記送信部が送信した前記履歴に基づき前記別アクセスポイントが抽出した配信情報を、前記記憶部が記憶する通信装置に対して配信する配信部を更に備えることとしてもよい。
【発明の効果】
【００１７】
本発明によれば、ユーザに応じた好ましい情報をプッシュ配信することができる。
【図面の簡単な説明】
【００１８】
【図１】データ配信システムの概要を示す図である。
【図２】データ配信システムの構成を示す図である。
【図３】車内アクセスポイントに記憶される管理情報の一例を示す図である。
【図４】通信装置に対して配信される配信情報の種類を説明するための図である。
【図５】通信装置に対する配信情報の配信方法を説明するための図である。
【図６】通信装置に対する配信情報の配信方法を説明するための図である。
【図７】データ配信システムの処理の流れを示すフローチャートである。
【図８】データ配信システムの処理の流れを示すフローチャートである。
【図９】データ配信システムの処理の流れを示すフローチャートである。
【発明を実施するための形態】
【００１９】
［データ配信システムＳの概要］
初めに、図１を参照して、本実施形態に係るデータ配信システムＳの概要について説明する。なお、図１等では、アクセスポイントを省略して「ＡＰ」と表現している。
データ配信システムＳは、車内アクセスポイント１と、通信装置２と、車外アクセスポイント３とを含んで構成される。データ配信システムＳにおいて、車内アクセスポイント１、通信装置２及び車外アクセスポイント３の夫々は、無線ネットワークを介して接続され、車内アクセスポイント１及び車外アクセスポイント３は、当該無線ネットワークを利用する通信装置２に対して配信情報を配信する。なお、無線ネットワークは、無線ＬＡＮ回線、Ｂｌｕｅｔｏｏｔｈ（登録商標）、Ｚｉｇｂｅｅ（登録商標）等の任意のネットワークを採用することができ、本実施形態では一例として、無線ＬＡＮ回線を採用している。
【００２０】
車内アクセスポイント１は、所定の移動手段を介して移動する無線ＬＡＮのアクセスポイントである。所定の移動手段は、自家用車、観光バス、レンタカー、鉄道車両、飛行機、船舶等の任意の移動手段であり、例えば、所定の移動手段として観光バスＢを採用した場合、車内アクセスポイント１は、観光バスＢに設置された無線ＬＡＮのアクセスポイントが該当する。
【００２１】
車外アクセスポイント３は、任意の地点に設置された無線ＬＡＮのアクセスポイントであり、本実施形態では、理解を容易にするために、例えば、観光地に設置された無線ＬＡＮのアクセスポイントを採用する。車外アクセスポイント３は、自身と接続された通信装置２に対して、自身が設置された観光地に関する観光情報等を配信する。
【００２２】
通信装置２は、例えば、スマートフォン、携帯電話、ゲーム機、タブレットＰＣ等の任意の携帯端末であり、所定の移動手段（観光バスＢ）を利用して移動するユーザにより用いられる。通信装置２は、ユーザが観光バスＢ内に滞在する状況（車内アクセスポイント１が構築する無線エリア内）では、車内アクセスポイント１に対して無線接続され、観光バスＢが観光地に到着し、ユーザが当該観光地を観光中の状況（車内アクセスポイント１が構築する無線エリア外）では、車外アクセスポイント３に対して無線接続される。
【００２３】
データ配信システムＳでは、観光バスＢが観光地に到着すると、通信装置２に対して、当該通信装置２がこれまで移動してきた履歴を加味した配信情報を配信する。具体的には、データ配信システムＳにおいて、車内アクセスポイント１は、自身の移動の履歴を随時取得しておき、移動手段を介して車外アクセスポイント３の無線エリアに移動すると、当該車外アクセスポイント３に対して自身の移動の履歴を送信する。車外アクセスポイント３では、車内アクセスポイント１から送信された履歴をもとに、例えば、既に観光した観光地を除く観光地を紹介する配信情報や、これまでの観光の傾向から特定されるお勧めの観光先を紹介する配信情報を抽出し、通信装置２に対して配信する。
これにより、観光地に到着すると、通信装置２のユーザにはユーザ自身（＝車内アクセスポイント１）の移動の履歴に合った配信情報がプッシュで配信されることになり、結果、データ配信システムＳでは、ユーザに応じた情報をプッシュ配信することができる。
【００２４】
［データ配信システムＳの構成］
続いて、図２を参照して、本実施形態に係るデータ配信システムＳの構成について説明する。図２は、データ配信システムＳを構成する車内アクセスポイント１及び車外アクセスポイント３の機能構成を示すブロック図である。
【００２５】
図２に示すように、車内アクセスポイント１は、通信部１１と、記憶部１２と、制御部１３とを含んで構成される。
通信部１１は、無線により外部機器（通信装置２及び車外アクセスポイント３）と通信を行う。具体的には、通信部１１は、制御部１３から出力された信号を変調してＲＦ信号を生成し、アンテナ（不図示）を介して当該ＲＦ信号を外部機器対して無線送信する。また、通信部１１は、アンテナを介して外部機器から受信したＲＦ信号を復調し、復調により得られた信号を制御部１３に出力する。
【００２６】
記憶部１２は、ＲＯＭ及びＲＡＭ等のメモリ又はハードディスク等の記憶媒体である。記憶部１２は、制御部１３を機能させるためのプログラム及び制御部１３が動作する際に生成されるデータを記憶する。
また、記憶部１２は、管理情報を記憶する。管理情報は、車外アクセスポイント３が配信情報を出し分けるために用いられる情報であり、図３に示すように、乗物情報、グループ情報及び移動の履歴を含む。
【００２７】
乗物情報は、車内アクセスポイント１の移動手段を識別するための情報であり、車内アクセスポイント１が、例えば、観光バスに設置されている場合には観光バスであることを示す識別子である。
グループ情報は、移動手段を介して車内アクセスポイント１とともに移動する通信装置２の種別を識別するための情報である。車内アクセスポイント１では、自身と接続された通信装置２を同一のグループとして管理する。具体的には、車内アクセスポイント１では、自身を識別する情報（ＳＳＩＤやＭＡＣアドレス）、及び自身と接続された通信装置２を識別する情報（ＭＡＣアドレス）をグループ情報として管理する。
移動の履歴は、車内アクセスポイント１の移動の履歴を示す情報である。車内アクセスポイント１では、例えば、ある時刻における自身の位置座標を示すＧＰＳ情報や、ある時刻における自身の周囲の無線環境を移動の履歴として管理する。
【００２８】
図２に戻り、制御部１３は、例えば、ＣＰＵにより構成され、記憶部１２に記憶されているプログラムを実行することにより、取得部１３１及び送信部１３２として機能する。
【００２９】
取得部１３１は、車内アクセスポイント１の移動の履歴、より具体的には、車内アクセスポイント１の通信又は位置座標の履歴を取得する。ここで、取得部１３１が取得した履歴は、例えば、これまでに観光した観光地を特定する等のために用いられる。そのため、移動の履歴としては、移動の道順よりも、観光した観光地を特定できることが重要であり、本実施形態では、取得部１３１は、移動手段による移動中ではなく、移動手段が停止したタイミング（観光していると思われるタイミング）における履歴を取得する。
そこで、取得部１３１は、検知部１３３及び履歴取得部１３４を含んで構成される。
【００３０】
検知部１３３は、車内アクセスポイント１の移動の停止又は移動の開始を検知する。例えば、検知部１３３は、車内アクセスポイント１が設置された移動手段の電源（エンジン等）のＯＮ／ＯＦＦを監視し、移動手段の電源がＯＮからＯＦＦになると車内アクセスポイント１の移動が停止したことを検知し、移動手段の電源がＯＦＦからＯＮになると車内アクセスポイント１の移動が開始したことを検知する。
なお、移動手段によっては、ユーザの休憩に伴い一時的に移動を停止することがあり、このような一時的な停止は、観光による停止とは異なるため区別する必要がある。そこで、検知部１３３は、移動手段の電源がＯＦＦになってから再びＯＮになるまでの経過時間を測定しておき、経過時間が所定の閾値を超える場合に、車内アクセスポイント１の移動が停止したと判定し、経過時間が所定の閾値を超えない場合には、車内アクセスポイント１の移動が停止していないと判定することとしてもよい。
【００３１】
履歴取得部１３４は、検知部１３３が車内アクセスポイント１の移動の停止を検知すると、当該停止した場所を車内アクセスポイント１の移動の履歴として取得し、記憶部１２に記憶する。より具体的には、履歴取得部１３４は、車内アクセスポイント１の移動が停止した場所のうち、検知部１３３が移動の停止を検知してから移動の開始を検知するまでの経過時間が所定の閾値を超える場所を、車内アクセスポイント１の移動の履歴として取得する。
【００３２】
ここで、車内アクセスポイント１が停止した場所の特定方法は任意であり、履歴取得部１３４は、車内アクセスポイント１の通信又は位置座標の履歴に基づいて、当該停止場所を特定することができる。周囲の無線環境は場所毎に異なるため、履歴取得部１３４は、停止場所の位置座標（ＧＰＳ情報）だけでなく、停止場所において検知した外部アクセスポイントの種別に基づいて、車内アクセスポイント１が移動した場所を特定することができる。なお、外部アクセスポイントとしては、無線ＬＡＮのアクセスポイントの他、携帯電話等の基地局を含むこととしてもよい。
また、履歴取得部１３４は、停止場所において検知したＧＰＳ情報から、車内アクセスポイント１が移動した場所を特定することとしてもよい。
【００３３】
送信部１３２は、車内アクセスポイント１が、自身とは異なるアクセスポイント（例えば、車外アクセスポイント３）の無線エリアに移動すると、当該アクセスポイントに対して記憶部１２に記憶されている管理情報を送信する。具体的には、車内アクセスポイント１が他のアクセスポイントの無線エリアに在圏すると、送信部１３２は、車内アクセスポイント１の移動手段を示す乗物情報、車内アクセスポイント１及び当該車内アクセスポイント１に接続された通信装置２を示すグループ情報、並びに車内アクセスポイント１の移動の履歴を夫々関連付けて、当該他のアクセスポイントに対して送信する。
【００３４】
続いて、車外アクセスポイント３は、通信部３１と、記憶部３２と、制御部３３とを含んで構成される。
通信部３１は、車内アクセスポイント１の通信部１１と同様に、無線により外部機器（車内アクセスポイント１及び通信装置２）と通信を行う。記憶部３２は、ＲＯＭ及びＲＡＭ等のメモリ又はハードディスク等の記憶媒体である。記憶部３２は、制御部３３を機能させるためのプログラム及び制御部３３が動作する際に生成されるデータを記憶する。また、記憶部３２は、通信装置２に対して配信する配信情報を記憶する。なお、配信情報は、記憶部３２ではなく、車外アクセスポイント３と接続された外部機器（サーバ）に記憶しておくこととしてもよい。
【００３５】
制御部３３は、例えば、ＣＰＵにより構成され、記憶部３２に記憶されているプログラムを実行することにより、抽出部３３１及び配信部３３２として機能する。
【００３６】
抽出部３３１は、車内アクセスポイント１から移動の履歴等を含む管理情報を受信すると、受信した管理情報に基づいて通信装置２に対して配信する配信情報を抽出する。また、配信部３３２は、抽出部３３１が抽出した配信情報を、通信装置２に対して配信する。
【００３７】
［配信情報の配信］
以上、データ配信システムＳの構成について説明した。続いて、図４から図６を参照して、通信装置２に対して配信される配信情報について説明する。図４は、配信情報の種類を説明するための図であり、図５及び図６は、配信情報の配信方法を説明するための図である。
【００３８】
［配信情報の種類］
車外アクセスポイント３から配信される配信情報として、本実施形態では、車内アクセスポイント１の移動の履歴に応じた配信情報、及び移動手段の種別に応じた配信情報を採用する。図４（Ａ）は、車内アクセスポイント１の移動の履歴に応じた配信情報を説明するための図であり、図４（Ｂ）は、移動手段の種別に応じた配信情報を説明するための図である。
【００３９】
図４（Ａ）に示すように、ユーザが観光地Ａを観光してから観光地Ｂに移動した場合、車内アクセスポイント１では自身の移動の履歴を含む管理情報を、観光地Ｂに設置された公衆無線ＬＡＮの車外アクセスポイント３に対して送信する。これにより、車外アクセスポイント３では、車内アクセスポイント１及び当該車内アクセスポイント１に紐づけられた通信装置２が観光地Ａを既に観光済みであることを把握することができる。
車外アクセスポイント３では、抽出部３３１が、車内アクセスポイント１から取得した管理情報に含まれる移動の履歴（観光地Ａを観光済み）に基づいて配信情報を抽出し、配信部３３２が抽出した配信情報を通信装置２に対して配信する。図４（Ａ）に示す例では、車外アクセスポイント３は、自身が設置されている観光地Ｂを紹介する配信情報に加え、車内アクセスポイント１が観光済みの観光地Ａを除いた配信情報や、車内アクセスポイント１の移動の履歴から推測されるお勧めの観光先である観光地Ｃを紹介する配信情報を、通信装置２に対して配信している。
【００４０】
これにより、データ配信システムＳでは、通信装置２に対してこれまでの移動の履歴に応じた配信情報をプッシュ配信することができる。
【００４１】
図４（Ｂ）に示すように、車内アクセスポイント１ａは、観光バスＢに設置され、車内アクセスポイント１ｂは、自家用車Ｃに設置されている。車内アクセスポイント１では、移動手段の種別を乗物情報として管理しており、車外アクセスポイント３に対して送信する。これにより、車外アクセスポイント３では、車内アクセスポイント１の移動手段を把握することができる。
車外アクセスポイント３では、抽出部３３１が、車内アクセスポイント１から取得した管理情報に含まれる乗物情報に基づいて配信情報を抽出し、配信部３３２が抽出した配信情報を通信装置２に対して配信する。図４（Ｂ）に示す例では、車外アクセスポイント３は、自身が設置されている観光地Ｂを紹介する配信情報に加え、車内アクセスポイント１ａに紐づいている通信装置２に対しては観光バスＢの集合時間を知らせる配信情報を配信し、車内アクセスポイント１ｂに紐づいている通信装置２に対しては観光地Ｂの周囲の駐車場の空き状況を知らせる配信情報を配信している。
【００４２】
これにより、データ配信システムＳでは、通信装置２に対して移動手段に応じた配信情報をプッシュ配信することができる。なお、図４（Ｂ）に示す例は、移動手段に応じた配信情報の一例を示すものであり、これに限られるものではない。また、観光バスＢの集合時間のような情報は、車外アクセスポイント３側で管理していない場合もあるが、このような情報は、車内アクセスポイント１ａから適宜取得することで配信することとしてもよい。
【００４３】
［配信情報の配信方法］
本実施形態では、車外アクセスポイント３は、通信装置２に対して直接又は間接的に配信情報を配信する。図５は、車外アクセスポイント３が通信装置２に対して配信情報を間接的に配信する際の動作を示す図であり、図６は、車外アクセスポイント３が通信装置２に対して配信情報を直接配信する際の動作を示す図である。
【００４４】
車内アクセスポイント１が観光バスＢ等のような多人数で利用される移動手段に設置されている場合、車内アクセスポイント１には、多数の通信装置２が紐づけられることになる。ここで、車外アクセスポイント３は、観光地等に設置されている公衆無線ＬＡＮのアクセスポイントであるため、車内アクセスポイント１に紐づけられた通信装置２だけでなく、多数の通信装置２がアクセスすることになる。このような状況で車内アクセスポイント１に紐づけられた多数の通信装置２が車外アクセスポイント３に対して一斉にアクセスすると、図５（Ａ）に示すように、車外アクセスポイント３の負荷が増大し、車外アクセスポイント３のサービスが低下してしまう。
【００４５】
そこで、車外アクセスポイント３の配信部３３２は、配信情報を通信装置２に無線接続された車内アクセスポイント１を介して、通信装置２に対して配信する。具体的には、図５（Ｂ）に示すように、車外アクセスポイント３の配信部３３２が車内アクセスポイント１に対して配信情報を配信すると、車内アクセスポイント１が自身に無線接続されている通信装置２に対して一斉に配信情報を配信することで、車外アクセスポイント３から通信装置２に対して配信情報が間接的に配信される。
【００４６】
このような配信情報の間接的な配信は、通信装置２が車内アクセスポイント１と接続されている状況、例えば、ユーザが観光バスＢ内に滞在する状況で好適に用いられる。
一方、ユーザが観光地を観光している状況では、通信装置２は車内アクセスポイント１の無線エリアから出てしまう、又は車内アクセスポイント１の電源がＯＦＦになってしまう結果、通信装置２と車内アクセスポイント１との間の接続が解除され、通信装置２は、観光中の観光地に設置された車外アクセスポイント３と接続されることになる。このような場合、車外アクセスポイント３の配信部３３２は、通信装置２に対して配信情報を直接配信する。
【００４７】
ところで、車外アクセスポイント３には、不特定の通信装置２がアクセスするため、移動の履歴等に応じた配信情報を配信するためには、車外アクセスポイント３において通信装置２を判別する必要がある。この点、データ配信システムＳでは、車外アクセスポイント３は、車内アクセスポイント１から受信した管理情報に含まれるグループ情報から、通信装置２の種別を判別する。具体的には、車外アクセスポイント３の配信部３３２は、受信したグループ情報に対応する通信装置２からの接続要求を受けると、当該グループ情報に関連する移動の履歴や乗物情報に応じた配信情報を、当該通信装置２に対して配信する。
これにより、図６に示すように、車外アクセスポイント３は、観光バスＢとともに移動してきた通信装置２ａと、それ以外の通信装置２ｂとの間で、配信情報を出し分けることができる。
【００４８】
［データ配信システムＳの処理］
続いて、図７から図９を参照して、データ配信システムＳの処理の流れについて説明する。図７は、車内アクセスポイント１が移動の履歴を取得する際の処理の流れを示すフローチャートであり、図８は、車外アクセスポイント３が通信装置２に対して配信情報を間接的に配信する際の処理の流れを示すフローチャートであり、図９は、車外アクセスポイント３が通信装置２に対して配信情報を直接配信する際の処理の流れを示すフローチャートである。
【００４９】
［移動の履歴の取得］
上述のように、車内アクセスポイント１は、ＧＰＳ情報や周囲の無線環境に基づいて自身の移動の履歴を管理する。そこで、図７のステップＳ１１又はステップＳ１２に示すように、車内アクセスポイント１の取得部１３１は、任意のタイミングで、自身（又は自身が設置されている移動手段）のＧＰＳ情報、又は周囲の無線情報を取得する。なお、ステップＳ１１、Ｓ１２の処理は、何れか一方のみを行うこととしてもよく、また、双方を組み合わせて行うこととしてもよい。
【００５０】
続いて、ステップＳ１３において、車内アクセスポイント１の検知部１３３は、移動手段のエンジンＯＦＦ、即ち移動手段が停止したことを検知する。その後、車内アクセスポイント１の検知部１３３がエンジンＯＮ、即ち移動手段の移動の開始を検知すると、ステップＳ１５において、検知部１３３は、エンジンＯＦＦからエンジンＯＮになるまでの経過時間から、休憩等による一時的な停止ではないことを判定する。
【００５１】
ステップＳ１５の判定の結果、一時的な停止ではない場合（例えば、観光のための停止である場合）、ステップＳ１６において、車内アクセスポイント１の履歴取得部１３４は、エンジンＯＦＦになる直前に取得していたＧＰＳ情報や周囲の無線情報を、自身の移動の履歴として記録する。
【００５２】
［配信情報の間接配信］
図８に示すように、通信装置２を所有するユーザが移動手段を介して移動中に、通信装置２と車内アクセスポイント１とは互いに無線接続される（ステップＳ２１）。車内アクセスポイント１では、ステップＳ２２において、自身と接続されている通信装置２を、同一の移動手段で移動しているグループに含まれる通信装置２として管理する。
【００５３】
続いて、観光地等に到着し、ステップＳ２３において、車内アクセスポイント１が当該観光地に設置された車外アクセスポイント３を検知すると、ステップＳ２４において、車内アクセスポイント１と車外アクセスポイント３が所定の認証を介して無線接続される。すると、ステップＳ２５において、車内アクセスポイント１は、車外アクセスポイント３に対して、移動の履歴、グループ情報及び乗物情報を含む管理情報を通知する。
【００５４】
この通知を受けると、ステップＳ２６において、車外アクセスポイント３は、管理情報に基づいて、通信装置２に対して配信する配信情報を決定する。その後、ステップＳ２７において、車外アクセスポイント３は、自身と無線接続された車内アクセスポイント１を介して、通信装置２に対してステップＳ２６で決定した配信情報を配信し、処理を終了する。
【００５５】
［配信情報の直接配信］
図９に示すように、移動手段を介した移動中、通信装置２と車内アクセスポイント１とは互いに無線接続され（ステップＳ３１）、車内アクセスポイント１は、自身と接続されている通信装置２を、同一のグループに含まれる通信装置２として管理する（ステップＳ３２）。続いて、観光地等に到着し、車内アクセスポイント１が当該観光地に設置された車外アクセスポイント３を検知すると、車内アクセスポイント１と車外アクセスポイント３が所定の認証を介して無線接続され、車内アクセスポイント１から車外アクセスポイント３に対して、移動の履歴、グループ情報及び乗物情報を含む管理情報が通知される（ステップＳ３３〜ステップＳ３５）。
【００５６】
この通知を受けると、ステップＳ３６において、車外アクセスポイント３は、管理情報に基づいて、通信装置２に対して配信する配信情報を決定する。その後、通信装置２を所有するユーザが観光地を観光する等するために通信装置２と車内アクセスポイント１との接続が解除されると、ステップＳ３７に示すように、通信装置２は、車外アクセスポイント３に対して接続要求を行い、車外アクセスポイント３からの応答を受ける。
【００５７】
その結果、ステップＳ３８において、通信装置２と車外アクセスポイント３とが接続されると、ステップＳ３９において、車外アクセスポイント３は、接続要求を行った通信装置２の種別（例えば、ＭＡＣアドレス）と、ステップＳ３５において車内アクセスポイント１から受信したグループ情報とを比較し、通信装置２毎に好ましい配信情報を配信する。具体的には、ステップＳ３５で受信したグループに含まれる通信装置２に対しては、移動の履歴や乗物情報に応じて抽出した配信情報を配信し、その他の通信装置２に対しては、これとは異なる配信情報を配信する。
【００５８】
［データ配信システムＳの効果］
以上、データ配信システムＳの好適な実施形態について説明した。このようなデータ配信システムＳでは、ユーザが移動に用いる移動手段内に設置された車内アクセスポイント１は、通信又は位置座標の履歴からユーザの移動の履歴を管理しておき、観光地等の任意の場所に設置された車外アクセスポイント３を検出すると、この移動の履歴を車外アクセスポイント３に対して送信する。車外アクセスポイント３では、ユーザ（車内アクセスポイント１）の移動の履歴から、当該ユーザに適した配信情報を抽出し、ユーザが所有する通信装置２に対してプッシュ配信する。
これにより、車外アクセスポイント３からはユーザ毎に異なる配信情報が配信されることになり、データ配信システムＳによれば、ユーザに応じた好ましい情報を配信することができる。
【００５９】
また、配信情報の出し分けとして、移動の履歴だけでなく、移動手段の種別を用いることとしてもよく、これにより、ユーザが利用する移動手段に応じた情報（例えば、交通機関の時刻表や周囲の駐車場情報等）を配信することができ、好適である。
また、配信情報の配信を、車外アクセスポイント３から通信装置２に対して、直接又は間接的に行うことができ、車外アクセスポイント３の負荷を適切にコントロールすることができる。
【００６０】
なお、移動の履歴は、移動手段が停止したタイミングのＧＰＳ情報だけでなく、当該タイミングの通信状況（即ち、周囲の無線環境）からも特定することができる。また、データ配信システムＳによれば、休憩等に伴う一時的な停止と、観光等の停止とを区別して移動の履歴を管理するため、移動の履歴を適切に管理することができ、結果、ユーザに対してより好ましい配信情報をプッシュ配信することができる。
【００６１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００６２】
１・・・車内アクセスポイント
１１・・・通信部
１２・・・記憶部
１３・・・制御部
１３１・・・取得部
１３２・・・送信部
１３３・・・検知部
１３４・・・履歴取得部
２・・・通信装置
３・・・車外アクセスポイント
３１・・・通信部
３２・・・記憶部
３３・・・制御部
３３１・・・抽出部
３３２・・・配信部
Ｓ・・・データ配信システム
【図１】
0006480253.tif 000002
【図２】
0006480253.tif 000003
【図３】
0006480253.tif 000004
【図４】
0006480253.tif 000005
【図５】
0006480253.tif 000006
【図６】
0006480253.tif 000007
【図７】
0006480253.tif 000008
【図８】
0006480253.tif 000009
【図９】
0006480253.tif 000010